(57)【要約】【課題】マンホール内に簡単な器具を予め設置しておき、かつその器具の変動状態を外部から測定することで、マンホール蓋を開けることなく、内部に溜まった水の水位について迅速かつ正確に測定する。【解決手段】マンホール５１の床面に垂直に縦かける筒体３と、筒体３の上下端に天井板７と底板６をそれぞれ設け、筒体３内に水を流通可能にして上下動自在に収納したフロート５から成る水位測定具１と、水位測定具１に向けて、底板６に設けた底部反射板６ａと、フロート５に設けたフロート反射板５ａを個別に測距する距離測定器２と、から成り、マンホール５１の外上部において、マンホール蓋５３を開けることなく、距離測定器２を水位測定具１へ向けて底板反射板６ａとフロート反射板５ａとをそれぞれ測距することによりマンホール５１内の水位を測定する。【選択図】図１
2011058996.tif 000002
【特許請求の範囲】
【請求項１】
電力供給用の電力ケーブル、通信ケーブル等を地中に設けた管路に敷設するマンホール（５１）内に貯留した溜水の水位を測定するマンホール内水位測定装置であって、
前記マンホール（５１）の床面に垂直に縦かける筒体（３）と、該筒体（３）の上下端に天井板（７）と底板（６）をそれぞれ設け、該筒体（３）内に水を流通可能にして上下動自在に収納したフロート（５）から成る水位測定具（１）と、
前記水位測定具（１）に向けて、前記底板（６）に設けた底部反射板（６ａ）と前記フロート（５）に設けたフロート反射板（５ａ）とを個別に測距する距離測定器（２）と、から成り、
前記マンホール（５１）の外上部において、マンホール蓋（５３）を開けることなく、前記距離測定器（２）を前記水位測定具（１）へ向けて前記底板反射板（６ａ）と、フロート反射板（５ａ）をそれぞれ測距することによりマンホール（５１）内の水位を測定し得るように構成した、ことを特徴とするマンホール内水位測定装置。
【請求項２】
前記距離測定器（２）は、前記水位測定具（１）に向けてフロート反射板（５ａ）と底部反射板（６ａ）それぞれに異なる電波を発射し、該フロート反射板（５ａ）と底部反射板（６ａ）の各反射までの時間を計測することによりそれぞれの距離を測定するものである、ことを特徴とする請求項１のマンホール内水位測定装置。
【請求項３】
前記距離測定器（２）は、前記水位測定具（１）に向けてフロート反射板（５ａ）と底部反射板（６ａ）それぞれに異なる超音波を発射し、該フロート反射板（５ａ）と底部反射板（６ａ）の各反射までの時間を計測することによりそれぞれの距離を測定するものである、ことを特徴とする請求項１のマンホール内水位測定装置。
【請求項４】
前記水位測定具（１）の筒体（３）の天井板（７）にも天井反射板（７ａ）を設けた、ことを特徴とする請求項１のマンホール内水位測定装置。
【発明の詳細な説明】
【技術分野】
【０００１】
本発明は、地中設備であるマンホール内に流れ込んだ雨水等の溜水の水位を測定する技術に係り、特にマンホール蓋を開けることなく外部からマンホール内の水位を測定することができるマンホール内水位測定装置に関する。
【背景技術】
【０００２】
マンホール５１は、図３に示すように、電力供給用の電力ケーブル用、通信ケーブル用、又は上下水道管等を通す管路５２を地中に敷設した地中設備である。このマンホール５１内には雨水等が流れ込み、その水が溜まっていることが多い。工事・点検の際に、水量によってバキューム・水中ポンプ等の排水の手配が必要であるため、事前に水位の確認が必要である。マンホール５１内の点検、工事前にマンホール蓋５３を開け、スケール５４等により水位の確認を実施している。マンホール蓋５３を開けるまで水位がどの程度あるのかは判らないことが多かった。
【０００３】
そこで、マンホール内の水位を測定する技術が提案されている。例えば、特許文献１の特開２００８−２８６５７０公報「浸水量測定装置」に示すように、マンホール、ハンドホールや穴等の対象空間の浸水量を測定する浸水量測定装置であって、前記対象空間内に直立して設置され、表面に前記対象空間の浸水量を示す目盛が表示された柱状の量水標と、リング状の形状で内部に前記量水標が挿通され、前記対象空間における浸水の表面に浮遊してその水位を指示する指示体とを備え、前記目盛は前記指示体が指示する水位に応じた浸水量を表している浸水量測定装置が提案されている。
【特許文献１】特開２００８−２８６５７０公報
【発明の開示】
【発明が解決しようとする課題】
【０００４】
しかし、長期間マンホール５１内への出入りがないときは、その入溝の際の酸欠事故のおそれを回避するために、空気の入れ替え等の送風機の設置など大掛かりな酸欠対策作業が必要であり、その設置に時間がかかるという問題を有していた。
【０００５】
また、特許文献１「浸水量測定装置」は、事前に水位を確認するために、浸水量を示す目盛が表示された柱状の量水標と、リング状の形状で内部に前記量水標が挿通され、マンホール内で浮遊してその水位を指示する指示体とを備えたものが必要で、そのコストと時間を要するという問題を有していた。
【０００６】
本発明は、かかる問題点を解決するために創案されたものである。すなわち、本発明の目的は、マンホール内に簡単な器具を予め設置しておき、かつその器具の変動状態を外部から測定することで、マンホール蓋を開けることなく、内部に溜まった水の水位について迅速かつ正確に測定することができるマンホール内水位測定装置を提供することにある。
【課題を解決するための手段】
【０００７】
本発明は、電力供給用の電力ケーブル、通信ケーブル等を地中に設けた管路に敷設するマンホール（５１）内に貯留した溜水の水位を測定するマンホール内水位測定装置であって、前記マンホール（５１）の床面に垂直に縦かける筒体（３）と、該筒体（３）の上下端に天井板（７）と底板（６）をそれぞれ設け、該筒体（３）内に水を流通可能にして上下動自在に収納したフロート（５）から成る水位測定具（１）と、前記水位測定具（１）に向けて、前記底板（６）に設けた底部反射板（６ａ）と、前記フロート（５）に設けたフロート反射板（５ａ）を個別に測距する距離測定器（２）と、から成り、前記マンホール（５１）の外上部において、マンホール蓋（５３）を開けることなく、前記距離測定器（２）を前記水位測定具（１）へ向けて前記底板反射板（６ａ）とフロート反射板（５ａ）とをそれぞれ測距することによりマンホール（５１）内の水位を測定し得るように構成したことを特徴とする。
【０００８】
前記距離測定器（２）は、前記水位測定具（１）に向けてフロート反射板（５ａ）と底部反射板（６ａ）それぞれに異なる電波を発射し、該フロート反射板（５ａ）と底部反射板（６ａ）の各反射までの時間を計測することによりそれぞれの距離を測定ものである。
または、前記距離測定器（２）は、前記水位測定具（１）に向けてフロート反射板（５ａ）と底部反射板（６ａ）それぞれに異なる超音波を発射し、該フロート反射板（５ａ）と底部反射板（６ａ）の各反射までの時間を計測することによりそれぞれの距離を測定ものである。
前記水位測定具（１）の筒体（３）の天井板（７）にも天井反射板（７ａ）を設けることが好ましい。
【発明の効果】
【０００９】
本発明では、予めマンホール（５１）内へ水位測定具（１）を取り付け、筒体（３）内部の水位により上下するフロート（５）のフロート反射板（５ａ）と底板反射板（６ａ）とをそれぞれ地上から電波又は長音波による距離測定器（２）で測距することにより、マンホール蓋（５３）を開けることなく、外部からマンホール（５１）内の水位を簡易に短時間で測定できる。従来のようにマンホール蓋（５３）の開閉、酸欠等の作業が不要のため安全性の向上を図ることができる。更に、作業時間の短縮によりコストの低減につながる。
【００１０】
水位測定具（１）の筒体（３）の天井板（７）にも天井反射板（７ａ）を設けることにより、マンホール（５１）内に流れ込んだ雨水等の溜水の割合も計算でき、溜水が天井面に届きそうで緊急を要することを推測できる。
【図面の簡単な説明】
【００１１】
【図１】本発明のマンホール内水位測定装置を示し、（ａ）は水位測定具の正面図、（ｂ）は水位測定具の断面図、（ｃ）は距離測定器の正面図、（ｄ）は距離測定器の平面図である。
【図２】水位測定具をマンホール内に取り付け、それをマンホールの外部上方から距離測定器を用いて測定する状態の説明断面図である。
【図３】従来の水位を測定する方法を示すマンホールの断面図である。
【発明を実施するための最良の形態】
【００１２】
本発明のマンホール内水位測定装置は、電力供給用の電力ケーブル、通信ケーブル等を地中に設けた管路に敷設するマンホール内に貯留した溜水の水位を測定する装置である。
【実施例１】
【００１３】
以下、本発明の好ましい実施の形態を図面を参照して説明する。
図１は本発明のマンホール内水位測定装置を示し、（ａ）は水位測定具の正面図、（ｂ）は水位測定具の断面図、（ｃ）は距離測定器の正面図、（ｄ）は距離測定器の平面図である。図２は水位測定具をマンホール内に取り付け、それをマンホールの外部上方から距離測定器を用いて測定する状態の説明断面図である。
本発明のマンホール内水位測定装置は、図１に示すように、マンホール５１内に設置する水位測定具１と、マンホール５１の外部で用いる距離測定器２とから成り、マンホール５１内部に貯留した溜水の水位をマンホール５１の外部から測定する装置である。マンホール５１の外部上部において、マンホール蓋５３を開けることなく、距離測定器２をマンホール５１の内部の水位測定具１へ向けて、距離測定器２と底板反射板６ａとの距離、距離測定器２とフロート反射板５ａとの距離をそれぞれ測距する。これによりマンホール５１内の水位を測定することができる。
【００１４】
図１（ａ）、（ｂ）に示すように、水位測定具１は、マンホール５１の床面に垂直に縦懸ける筒体３から成る。この筒体３は、例えばアクリル樹脂等の合成樹脂製のパイプ状の部材にその周囲に水が流通しやすいように貫通孔４を多数開けたものである。筒体３は合成樹脂製のパイプに限定されず、筒状の金網その他種々の形状から成るものを用いることができる。筒体３には目盛を表示しておくことが望ましい。
【００１５】
この筒体３はマンホール５１の床面（底部）から天井までの長さを有するものが好ましい。そのままマンホール５１に容易に設置できるからである。しかし、全てのマンホール５１は、その床面から天井面までの高さが同一ではない。そこで、筒体３は必ずしも天井までの長さを有する必要はない。水位が天井まで届くことはまれだからである。この水位測定具１は、予めマンホール５１に設置しておくことが望ましい。後述するように距離測定器２を用いて外部からマンホール５１内の水位を簡易に短時間で測定するためである。測定に際してマンホール蓋５３を開ける必要がない。勿論、初めて水位を測定するマンホール５１ではこの水位測定具１をマンホール５１に設置し、その後距離測定器２を用いて測定する。
【００１６】
この筒体３はその長さを伸縮自在に構成することもできる。このような構成にすれば、１種類の水位測定具１で天井の高さが異なる様々なマンホール５１に設置でき、その汎用性を高めることができる。
【００１７】
この筒体３内にフロート５を収納し、筒体３の上下端には、底板６と天井板７をそれぞれ設けた。このフロート５は、筒体３内に浸水してきた時に、筒体３において上下動する。これにより、マンホール５１内の水位の変化に追従し、その位置を明示することができる。
【００１８】
フロート５には後述する距離測定器２から発射される電波、超音波を反射するフロート反射板５ａを設けた。同じく、底板６にも底部反射板６ａを設けた。床面（底部反射板６ａ）と水面（フロート反射板５ａ）との距離を測定できれば、その差異を計算して水位を容易に計算できる。
【００１９】
更に、天井板７にも天井反射板７ａを設けることにより、マンホール５１内に流れ込んだ雨水等の溜水の割合も計算でき、天井面に届きそうで緊急を要することを推測できるからである。測定しているマンホール５１に関する高さ、横幅、縦幅等のデータがないときに適している。
【００２０】
図１（ｃ）、（ｄ）に示すように、距離測定器２は、水位測定具１に向けて、底板６に設けた底部反射板６ａとフロート５に設けたフロート反射板５ａとを個別に測距する測定器である。電波式の距離測定器２は、送信器・受信器８とその計測信号を変換する変換器からなる装置である。送信器８が、フロート反射板５ａ、底部反射板６ａと天井反射板７ａそれぞれに異なる電波を発射し、このフロート反射板５ａ、底部反射板６ａと天井反射板７ａでそれぞれ反射し、再び受信器８に帰って来るまでの時間から、各底板反射板６ａ、フロート反射板５ａまでの距離を計測する。
【００２１】
超音波式の距離測定器２は、送信器８が、フロート反射板５ａ、底部反射板６ａと天井反射板７ａそれぞれに異なる超音波を発射し、このフロート反射板５ａ、底部反射板６ａと天井反射板７ａでそれぞれ反射し、再び受信器８に帰って来るまでの時間から、各底板反射板６ａ、フロート反射板５ａまでの距離を計測する。
【００２２】
この距離測定器２は、マンホール５１の外部であって上部において、マンホール蓋５３を開けることなく、水位測定具１へ向けて測距することによりマンホール５１内の水位を測定する。また、この距離測定器２は、容易に運搬できるように軽量に構成することが好ましい。
【００２３】
距離測定器２には、データ記憶装置、演算処理装置と表示部９を設ける。データ記憶装置に、予め各マンホール５１の高さ、横幅、縦幅等に関するデータを入力し、各マンホール５１の体積を計算しておく。このデータに基づき、現場で測定した水位から水量（体積）を求める。この測定後に表示部９にデータを表示する。更に、例えば測定年月日、測定時間、マンホール５１内の水位長さ（高さ）、マンホール５１内の水量（総水量）を表示する。
【００２４】
なお、本発明のマンホール内水位測定装置は、マンホール５１内に簡単な水位測定具１を設置し、かつそのフロート５の変動状態を外部から測定することで、マンホール蓋５３を開けることなく、マンホール５１内部に溜まった水の水位について迅速かつ正確に測定することができれば、上述した発明の実施の形態に限定されず、本発明の要旨を逸脱しない範囲で種々変更できることは勿論である。
【産業上の利用可能性】
【００２５】
本発明のマンホール内水位測定装置は、電力供給用の電力ケーブル単独のマンホール、通信ケーブル単独のマンホール又は上下水道管専用のマンホール以外に、これら電力ケーブル、通信ケーブル及び上下水道管等を地中に設けた複数本の管路内に敷設した電線共同溝マンホールにも利用することができる。
【符号の説明】
【００２６】
１  水位測定具
２  距離測定器
３  筒体
５  フロート
５ａ  フロート反射板
６  底板
６ａ  底部反射板
７  天井板
７ａ  天井反射板
５１  マンホール
５３  マンホール蓋
【図１】
2011058996.tif 000003
【図２】
2011058996.tif 000004
【図３】
2011058996.tif 000005